(57)【要約】【課題】手が届きにくい背中を容易に掻くことができ、肌を傷つけることなく適度な強さで肌に当たってかゆみを鎮め、安全で長期的な使用に耐えうる背中掻き具を提供する。【解決手段】背中掻き具１は、柄２の先端部に掻き部３を有し、掻き部３には多数の棒状突起３１１が備えられている。柄２は掻き部３を内側にして湾曲して形成されている。また、棒状突起３１１は、その先端が外側に膨らんだ曲面をなすように配設され、適度な弾性を有する合成樹脂系材料により形成されている。これにより、柄２を握って掻き部３を背中にまわして上下動させることで、容易にかゆい部分を掻くことができ、適度な刺激でかゆみを鎮めることができる。【選択図】図１
0003119797.tif 000002
【実用新案登録請求の範囲】
【請求項１】
柄の先端部に掻き部を有する背中掻き具であって、掻き部には多数の棒状突起が備えられ、これらの棒状突起は全体として、先端部が外側に膨らんだ曲面をなす形状に配設されていることを特徴とする背中掻き具。
【請求項２】
棒状突起の先端部は略球面状に形成されていることを特徴とする請求項１に記載の背中掻き具。
【請求項３】
棒状突起は、適度な弾性を有する合成樹脂系材料により形成されていることを特徴とする請求項１または請求項２に記載の背中掻き具。
【請求項４】
柄は掻き部を内側にして湾曲して形成されていることを特徴とする請求項１〜請求項３のいずれかに記載の背中掻き具。
【考案の詳細な説明】
【技術分野】
【０００１】
本考案は、自分の背中を掻くのに使用する背中掻き具に関する。
【背景技術】
【０００２】
従来から背中がかゆい場合、自分の手がかゆいところに届かないときには、誰か他の人に背中を掻いてもらうか、いわゆる「孫の手」を用いて背中を掻くというのが一般的である。孫の手は、通常、５０〜６０ｃｍの竹または木製棒の一端を曲げて、その先端部が手先に似た形状に作られている。
【０００３】
背中などに生じたかゆみを鎮めるには、肌を傷つけない程度で多少強めに掻く方が気持ちがよく、すっきりした感じを与えることができる。しかし、従来多用されてきた孫の手では、肌あたりが比較的ソフトにできているため、かゆみを鎮めるにはやや物足りなく、かゆみがすっきりしないこともあった。また、孫の手の先端部は略矩形状に形成されているので、背中の窪んだ部分や出っ張った部分などには、しっかりと当たらず、満足できるものではなかった。
【０００４】
そこで、このような従来の孫の手にかわる背中掻き具として、例えば特許文献１には、柄の内側面が凹状に湾曲した弾性棒状体からなり、柄の先端部分を内側に鉤状に屈曲させたものが記載されている。この背中掻き具は、合成樹脂製であり、鉤状に屈曲した先端部にできるバリを利用して背中掻き部とされている。
【特許文献１】実用新案登録第３０７０７７７号公報
【考案の開示】
【考案が解決しようとする課題】
【０００５】
前記特許文献１の背中掻き具は、成形過程でできるバリをそのまま利用して掻き部を構成しているので、掻き部の先端が薄く尖っている。そのため、このような掻き具で背中を掻けば強い刺激となり、かゆみは治まっても、掻いた部分が痛くなったり、肌を傷つけたりしてしまうおそれがある。また、バリ自体は通常は容易に取り除けるものであるため、この掻き具を長期間使用しているうちに、バリが欠けたり、変形したりして、本来の掻き心地が得られなくなるという問題点もある。
【０００６】
そこで本考案は、上記のような問題点にかんがみてなされたものであり、手が届きにくい背中のどのような部分も容易に掻くことができ、肌を傷つけることなく、適度な強さで掻いてかゆみを鎮めて、安全で長期的な使用に耐えうる背中掻き具を提供することを目的としている。
【課題を解決するための手段】
【０００７】
上記した目的を達成するため、本考案に係る背中掻き具は、柄の先端部に掻き部を有し、掻き部には多数の棒状突起が備えられ、これらの棒状突起は全体として、先端部が外側に膨らんだ曲面をなす形状に配設されていることを特徴としている。
【０００８】
このような構成によれば、背中のかゆい部分に直接当たるのは掻き部の棒状突起であり、多数の棒状突起で背中を掻くので、心地よい刺激が得られ、かゆみを鎮めることができる。また、かかる棒状突起が全体として外側に膨らんだ曲面状の形態をしているので、丸みや窪みのある背中のどのような部分にも容易に押し当てることができ、棒状突起を当接させてかゆい部分を掻くことができる。
【０００９】
また、本考案は、前記構成の背中掻き具において、棒状突起の先端部は略球面状に形成されていることを特徴とする。このように棒状突起が形成されることで、肌を傷つけることなく、かゆみを鎮めることが可能になる。
【００１０】
また本考案において、棒状突起は、適度な弾性を有する合成樹脂系材料により形成されていることが好ましく、棒状突起に弾性をもたせることで肌を傷つけることなく適度な刺激でかゆい部分を掻くことが可能になる。
【００１１】
また、本考案に係る背中掻き具は、柄が前記掻き部を内側にして湾曲して形成されていることを特徴とする。これにより、背中の広い範囲にわたって掻き部を届かせることができ、身体の丸みにも対応させて使いやすいものとすることができる。
【考案の効果】
【００１２】
上記のように構成される本考案の背中掻き具によれば、自分の手では届かない部分を容易に掻くことができ、また適度な強さで肌を掻くことができるので、肌に負担をかけずにかゆみを鎮めて、安全で長期的な使用にも耐えうるものとすることができる。
【考案を実施するための最良の形態】
【００１３】
以下、本考案に係る背中掻き具を実施するための最良の形態について説明する。図１〜図３は本考案の背中掻き具の一例を示し、図１は背中掻き具の斜視図、図２は背中掻き具の上面図、図３は背中掻き具の側面図である。
【００１４】
本考案の背中掻き具１は、柄２の先端部に掻き部３が設けられている。柄２は、例えば木製や合成樹脂製であることが好ましく、長さ方向に緩やかに湾曲した形状で形成されている。また、柄２は長さ方向の中央部が握りやすいようにやや太く形成されている。
【００１５】
掻き部３が設けられる柄２の先端部は、湾曲方向の内側となる片側面２１が平滑面となされて、外形が略円形状に形成されている。このような柄２は、長さが約３０〜４０ｃｍであることが好ましい。
【００１６】
背中掻き具１の掻き部３は、柄２の片側面２１に備えられている。この掻き部３は、多数の棒状突起３１１を有するように形成されている。例示の形態では、外側に膨らんだ曲面からなる基台３１２に、多数の棒状突起３１１が立設された掻き部材３１が、柄２の先端に添設されている。したがって、これらの棒状突起３１１のそれぞれの先端部は、全体として、外側に膨らんだ曲面状になるように配設されている。
【００１７】
また、各棒状突起３１１の先端部は球面になっている。また、棒状突起３１１は、適度な弾性を有する合成樹脂系材料により形成されている。さらに、これらの棒状突起３１１は基台３１２の表面から約１〜２ｃｍの長さを有するようにそれぞれ立設されている。
【００１８】
このように構成される背中掻き具１は、背中がかゆいとき、柄２を握り、衣服の上からかゆい部位に掻き部３が当たるように背中にまわして使用したり、衣服の襟首から掻き部３を下に向けて背中に差し込み、掻き部３を上下に動かしたりして、かゆい部位を棒状突起３１１で掻くようにする。このとき、棒状突起３１１は外側に膨らんだ曲面状に配設されているので、背骨周辺の窪んだところや肩胛骨周辺の出っ張ったところにも容易に押し当てることができる。
【００１９】
また、背中を掻く際、掻き部３は棒状突起３１１が適度な弾性を有するので、背中に押し当てたときの肌への当たり方が強すぎることがなく、また柔らかすぎて物足りないということもない。さらに棒状突起３１１の先端部は球面であるので、肌を傷つけることなく掻くことができ、好ましい。
【図面の簡単な説明】
【００２０】
【図１】本考案に係る背中掻き具の一例を示す斜視図である。
【図２】前記背中掻き具の上面図である。
【図３】前記背中掻き具の側面図である。
【符号の説明】
【００２１】
１        背中掻き具
２        柄
３        掻き部
３１      掻き部材
３１１    棒状突起
３１２    基台
【図１】
0003119797.tif 000003
【図２】
0003119797.tif 000004
【図３】
0003119797.tif 000005